(57)【要約】【課題】皮膚の表面及び体内の被処理部を照射して細菌、ウイルス等を殺菌することができるようにする。【解決手段】媒体を収容するための処理槽１１と、処理槽１１内の所定の箇所に配設された第１の超音波発生要素と、処理槽１１内において移動自在に配設された振動子ユニット３４とを有する。振動子ユニット３４は、密閉された室を形成し、所定の部位が被処理部と当接させられる当接部とされる筐体、及び室内において当接部に取り付けられ、背面に中空部を形成する第２の超音波発生要素を備える。第１、第２の超音波発生要素を駆動することによって、皮膚の表面の被処理部だけでなく、体内の被処理部に超音波を照射し、細菌、ウィルス等を殺菌することができる。【選択図】図１
2010035802.tif 000002
【特許請求の範囲】
【請求項１】
（ａ）媒体を収容するための処理槽と、
（ｂ）該処理槽内の所定の箇所に配設された第１の超音波発生要素と、
（ｃ）前記処理槽内において移動自在に配設された振動子ユニットとを有するとともに、
（ｄ）該振動子ユニットは、密閉された室を形成し、所定の部位が被処理部と当接させられる当接部とされる筐体、及び前記室内において当接部に取り付けられ、背面に中空部を形成する第２の超音波発生要素を備えることを特徴とする超音波処理装置。
【請求項２】
（ａ）前記振動子ユニットを前進させ、前記当接部を被処理部に当接させる作動機構と、
（ｂ）前記当接部に配設された圧力検出部と、
（ｃ）該圧力検出部によって検出された圧力が設定された値になるように前記作動機構を作動させる制御部とを有する請求項１に記載の超音波処理装置。
【請求項３】
前記当接部における第２の超音波発生要素が取り付けられる部分に、第２の超音波発生要素の駆動に伴って共振するように厚さが設定された共振部が形成される請求項１に記載の超音波処理装置。
【発明の詳細な説明】
【技術分野】
【０００１】
本発明は、超音波処理装置に関するものである。
【背景技術】
【０００２】
従来、全身を超音波で処理するための超音波処理装置が提供されている。該超音波処理装置は、バスタブ、及び該バスタブ内に配設された超音波振動子を備え、該超音波振動子によって発生させられた超音波が全身に照射されるようになっている（例えば、特許文献１参照。）。
【特許文献１】特開平７−４６９号公報
【発明の開示】
【発明が解決しようとする課題】
【０００３】
しかしながら、前記従来の超音波処理装置は、主として美容のためのものであり、皮膚の表面に超音波が照射されるだけであるので、皮膚の内側、血管内の血液、内蔵等のような体内の被処理部を照射して細菌、ウイルス等を殺菌することができない。
【０００４】
本発明は、前記従来の超音波処理装置の問題点を解決して、皮膚の表面及び体内の被処理部を照射して細菌、ウイルス等を殺菌することができる超音波処理装置を提供することを目的とする。
【課題を解決するための手段】
【０００５】
そのために、本発明の超音波処理装置においては、媒体を収容するための処理槽と、該処理槽内の所定の箇所に配設された第１の超音波発生要素と、前記処理槽内において移動自在に配設された振動子ユニットとを有する。
【０００６】
そして、該振動子ユニットは、密閉された室を形成し、所定の部位が被処理部と当接させられる当接部とされる筐（きょう）体、及び前記室内において当接部に取り付けられ、背面に中空部を形成する第２の超音波発生要素を備える。
【発明の効果】
【０００７】
本発明によれば、超音波処理装置においては、媒体を収容するための処理槽と、該処理槽内の所定の箇所に配設された第１の超音波発生要素と、前記処理槽内において移動自在に配設された振動子ユニットとを有する。
【０００８】
そして、該振動子ユニットは、密閉された室を形成し、所定の部位が被処理部と当接させられる当接部とされる筐体、及び前記室内において当接部に取り付けられ、背面に中空部を形成する第２の超音波発生要素を備える。
【０００９】
この場合、処理槽内の所定の箇所に第１の超音波発生要素が配設され、振動子ユニットが移動自在に配設されるので、第１の超音波発生要素を駆動することによって皮膚の表面の被処理部に超音波を照射し、細菌、ウィルス等を殺菌することができるだけでなく、第２の超音波発生要素を駆動することによって体内の被処理部に超音波を照射し、細菌、ウィルス等を殺菌することができる。
【００１０】
また、第２の超音波発生要素の背面の中空部内の空気が超音波の伝播を阻止するので、超音波は、前方に向けてだけ伝播させられる。したがって、被処理部に超音波を効率良く照射することができる。
【発明を実施するための最良の形態】
【００１１】
以下、本発明の実施の形態について図面を参照しながら詳細に説明する。
【００１２】
図１は本発明の第１の実施の形態における超音波処理装置の概略図、図２は本発明の第１の実施の形態における超音波処理装置の概念図、図３は本発明の第１の実施の形態における振動子ユニットを示す図、図４は本発明の第１の実施の形態における振動子ユニットの動作を示す図、図５は本発明の第１の実施の形態における超音波処理装置の動作を説明するための制御ブロック図である。
【００１３】
図において、１０はカプセル型の超音波処理装置、１１は所定の形状、本実施の形態においては、円筒形に形成された処理槽であり、該処理槽１１は、底壁１２、筒状の側壁１３、及び頂壁１４の各壁を備え、密閉されたカプセルを構成する。前記処理槽１１は、アクリル樹脂、ガラス等の透明な材料によって形成され、プレス成形、射出成形等によって成形される。
【００１４】
前記頂壁１４は開閉自在に配設され、超音波による処理を受ける被処理者は、頂壁１４を開くことによって処理槽１１を出入りすることができる。なお、処理槽１１内には図示されない梯子（はしご）が配設される。
【００１５】
前記処理槽１１内には、媒体として所定の温度の水が収容され、被処理者は患部、すなわち、被処理部を水に浸漬させた状態で、例えば、頭部を水面ｓｆから出して、処理槽１１内で直立するようになっている。被処理部が頭部である場合、被処理者は、酸素吸引用のマスクを装着し、全身を水に浸漬させる。なお、水中で被処理者の体が浮いてしまわないように、例えば、底壁１２に、足を掛けるための係止部分が形成され、被処理者は足を係止部分に係止させることができる。
【００１６】
処理槽１１内の水の温度を調整するために、処理槽１１内の所定の箇所に温度検出部としての温度センサ２１が配設されるとともに、処理槽１１に媒体循環路１６が接続され、該媒体循環路１６に循環ポンプ１７及び温度調整部２２が配設される。処理槽１１から排出された水は、循環ポンプ１７によって媒体循環路１６を循環させられ、処理槽１１に戻されるまでの間に、温度調整部２２によって所定の温度に調整される。そのために、温度調整部２２は、図示されないヒータ及びクーラを備え、水を加熱又は冷却して所定の温度にする。また、循環ポンプ１７には、外部から処理槽１１に新たな水を供給するための媒体供給路１８が、外部に水を排出するための媒体排出路１９が接続される。
【００１７】
ところで、本実施の形態においては、超音波によってヒドロキシルラジカルを生成し、被処理者の全身の処理（治療）を行い、例えば、皮膚の表面のような、体外の被処理部だけでなく、皮膚の内側、血管内の血液のような、体内の被処理部に超音波を照射し、細菌、ウイルス等を殺菌することができるようになっている。
【００１８】
そのために、処理槽１１の所定の壁、本実施の形態においては、底壁１２及び側壁１３に第１の超音波発生要素としての超音波振動子３１が配設される。なお、該超音波振動子３１は、処理槽１１に対して固定された状態で少なくとも一つ配設され、超音波を発生させるための第１の超音波発生部を構成し、発生させられた超音波は、あらかじめ設定された方向に向けて水中を伝播させられる。
【００１９】
また、前記処理槽１１内に、振動子ユニット３４が移動自在に配設される。そのために、移動支持体としての環状体３３が、処理槽１１の円周方向（矢印Ａ方向）に回転自在に、かつ、処理槽１１の軸方向（矢印Ｂ方向）に昇降自在に配設される。そして、前記環状体３３の内周面に、前記振動子ユニット３４が、支持部材としてのアーム３５を介して、処理槽１１の径方向（矢印Ｃ方向）に進退自在に少なくとも一つ配設される。なお、前記アーム３５は、環状体３３の内周面に進退自在に取り付けられる。また、前記振動子ユニット３４は、前記アーム３５に対して、軸３７を中心として矢印Ｄ方向に揺動自在に支持される。前記振動子ユニット３４及びアーム３５によって第２の超音波発生部が構成される。
【００２０】
なお、前記環状体３３の内径は、環状体３３内において被処理者が所定の動作をすることができるように設定される。本実施の形態において、超音波振動子３１及び振動子ユニット３４は、それぞれ一つずつ配設されるが、複数個配設することができる。そして、前記環状体３３を回転させるために図示されない回転機構が、環状体３３を上下方向に移動させるために図示されない昇降機構が、振動子ユニット３４を進退させるために図示されない移動機構が配設される。前記回転機構、昇降機構及び移動機構に、駆動部としてのモータを配設し、該モータを駆動することによって回転機構、昇降機構及び移動機構を自動的に作動させることができる。また、回転機構、昇降機構及び移動機構を手動で作動させることもできる。なお、前記回転機構によって第１の作動機構が、昇降機構によって第２の作動機構が、移動機構によって第３の作動機構が構成される。
【００２１】
前記振動子ユニット３４は、第１の筐体としての有底筒状部材４５、第２の筐体としての閉鎖部材４６及び前記有底筒状部材４５内に配設された第２の超音波発生要素としての超音波振動子３９を備える。前記有底筒状部材４５は、筒状部４８及び該筒状部４８の前端を閉鎖する閉鎖部４９を備え、該閉鎖部４９は、振動子ユニット３４の所定の部位、本実施の形態においては、振動子ユニット３４の前端において、被処理部と当接させられる当接部を形成する。本実施の形態において、振動子ユニット３４は、例えば、ステンレス等のような、錆に強く、人体への影響のない材料で形成される。また、本実施の形態において、前記超音波振動子３１、３９は、いずれも、ステンレスによって形成されるが、振動を伝播するガラス、アルミ等の材料によって形成することもできる。
【００２２】
前記有底筒状部材４５内には、筒状部４８及び閉鎖部４９によって円柱状の室５１が形成され、該室５１内における閉鎖部４９の背面に、前記超音波振動子３９が固定部材としての接着剤５２によって取り付けられる。
【００２３】
なお、前記閉鎖部４９において、超音波振動子３９が取り付けられる部分は薄肉にされ、共振部５３が形成される。該共振部５３は、超音波振動子３９の駆動に伴って共振するように厚さが設定される。
【００２４】
また、前記閉鎖部材４６は、前記筒状部４８を包囲する筒状部５５、及び該筒状部５５の中間部を閉鎖するとともに、筒状部４８の後端を支持し、前記室５１を密閉する閉鎖部５６を備える。そして、筒状部４８と筒状部５５との間に、第１の密封部材としてのＯリング５８が、前記筒状部４８の外周面に形成された溝５９内に収容されて配設され、室５１を密封する。
【００２５】
また、前記閉鎖部５６には、室５１に臨ませて第２の密封部材としてのコードブッシング６１が配設され、超音波振動子３９に電力を供給するためのコード６２が、コードブッシング６１を貫通させて配線される。
【００２６】
次に、超音波処理装置１０の制御装置６５について説明する。
【００２７】
該制御装置６５は、超音波処理装置１０の全体の制御を行う制御部２４、循環ポンプ１７の制御を行うポンプ制御部２６、温度調整部２２の制御を行う温度制御部２５、超音波振動子３１、３９を駆動する駆動回路６６、基本発振回路６７、変調回路６８等を備える。前記制御部２４に操作部７１及び表示部７２が接続される。
【００２８】
前記制御部２４は、演算装置としての図示されないＣＰＵ、該ＣＰＵが各種の演算処理を行うに当たってワーキングメモリとして使用されるＲＡＭ、制御用のプログラム、各種のデータが記録されたＲＯＭ等を備える。前記ＣＰＵは各種のプログラム、データ等に基づいてコンピュータとして機能する。また、前記ＲＡＭ、ＲＯＭ等によって記録装置が構成される。なお、演算装置として、ＣＰＵに代えてＭＰＵ等を使用することもできる。
【００２９】
また、前記制御部２４は、温度センサ２１によって検出された水の温度を読み込み、温度制御部２５に指示を送り、温度調整部２２を作動させて水の温度を調整するとともに、ポンプ制御部２６に指示を送り、循環ポンプ１７を作動させて水を循環させる。
【００３０】
さらに、前記制御部２４は、異常発生時に、前記ポンプ制御部２６に指示を送り、循環ポンプ１７を作動させて処理槽１１から水を排出するとともに、前記係止部分を解除する。なお、底壁１２に緊急排出口としての図示されない排水口を開閉自在に配設し、異常発生時に、排水口を開放することによって、短時間で処理槽１１から水を排出することができる。
【００３１】
また、前記駆動回路６６は、各超音波振動子３１、３９と図示されないトランスを介して接続され、制御部２４から制御信号を受けて駆動処理を行い、各超音波振動子３１、３９を所定の周波数、本実施の形態においては、９５０〔ｋＨｚ〕以上、かつ、２〔ＭＨｚ〕以下の制御された周波数で駆動し、９５０〔ｋＨｚ〕以上、かつ、２〔ＭＨｚ〕以下の超音波を発生させる。そして、本実施の形態において、前記超音波の出力は、ヒドロキシラジカルの生成量が０．１〔μＭ〕以上、かつ、６０〔μＭ〕以下の範囲に収まるように設定される。
【００３２】
なお、前記トランスはインピーダンスを調整するために、また、各超音波振動子３１、３９と制御部２４等との間を絶縁するために配設される。
【００３３】
そして、基本発振回路６７は、変調回路６８によって発生させられた１．６５〔ＭＨｚ〕の周波数の信号に基づいて基本発振を行う。
【００３４】
ところで、超音波振動子３１、３９によって発生させられた超音波が水に伝達されると、水は超音波によって分解され、ヒドロキシルラジカル及び水素原子を生成する。また、超音波が水を介して間接的に、又は直接人体に伝達されると、体内の水分は、同様に、超音波によって分解され、ヒドロキシルラジカル及び水素原子を生成する。
【００３５】
その結果、被処理部に超音波を照射して、細菌、ウイルス等を殺菌することができる。
【００３６】
本実施の形態においては、被処理部の処理を良好に行うために、ヒドロキシルラジカルの生成量が、５，５−ｄｉｍｅｔｈｙｌ−１−ｐｙｒｒｏｌｉｎｅ−Ｎ−ｏｘｉｄｅ（ＤＭＰＯ）を用いた電子スピン共鳴（ＥＳＲ）スピントラップ法（装置）で測定した値で、０．１〔μＭ〕以上、かつ、８０〔μＭ〕以下にされる。
【００３７】
また、超音波振動子３１、３９の駆動時間は、１秒以上で、人体の細胞組織に影響が出ない時間にされる。そして、前記駆動時間は、超音波の出力が大きい場合は短く、出力が小さい場合は長くされる。
【００３８】
ところで、全身の疾患には種々の症状があるので、本実施の形態においては、被処理部の位置によって超音波の照射方法を変更し、効果的な処理を行うようにしている。
【００３９】
すなわち、皮膚の表面及び内側、皮膚の内側における皮膚の近傍等を処理する場合、水を介して超音波を照射する。そのために、人体から離れた（皮膚の表面から１０〔ｍｍ〕程度離れた）位置で、超音波振動子３１を駆動し、超音波を発生させて被処理部を照射するのが好ましい。
【００４０】
例えば、皮膚の内側における皮膚の近傍等において、血管（静脈）内の血液を処理し、細菌、ウイルス等を殺菌することができる。人工透析においては、血液を体外に出し、フィルタ等によって細菌、ウイルス等を取り除く必要があるが、本実施の形態においては、血液を体外に出すことなく、血液を処理することができる。しかも、血液を介して体内の細菌、ウイルス等を殺菌することができる。なお、超音波振動子３１については、発生させられた超音波を図示されない反射板によって反射させ、拡散させることができる。
【００４１】
ところで、皮膚の近傍より更に内方にある内蔵、例えば、肝臓においてＣ型肝炎等を治療する場合、水を介して超音波を被処理部に照射しても、超音波が皮膚の表面で反射されたり、体内の脂肪、筋肉、骨等によって吸収されたりしてしまう。
【００４２】
そして、生体における超音波の吸収係数は、血液において約０．１２〔ｄＢ／ｃｍ2 〕であり、脂肪において約０．６３〔ｄＢ／ｃｍ2 〕であり、筋肉において１．３〔ｄＢ／ｃｍ2 〕以上、かつ、３．３〔ｄＢ／ｃｍ2 〕以下であり、骨において約１３〔ｄＢ／ｃｍ2 〕であり、値の大きい部位ほど超音波が吸収されてしまい、被処理部に対する照射エネルギーがその分小さくなってしまう。
【００４３】
そこで、本実施の形態においては、体内の被処理部に超音波を照射する場合、振動子ユニット３４が使用され、被処理部における皮膚の表面に閉鎖部４９が一定の圧力で押し付けられ、反射の影響を受けないようにされる。そのために、前記有底筒状部材４５の所定の箇所、本実施の形態においては、閉鎖部４９における共振部５３の近傍に圧力検出部としての圧力センサ８１が配設される。そして、該圧力センサ８１によって検出された圧力は、制御部２４に送られ、制御部２４は、前記圧力センサ８１によって検出された圧力が設定された値になるように前記移動機構のモータを駆動する。
【００４４】
なお、前記超音波振動子３９を駆動すると、超音波振動子３９の前面において発生させられた超音波は、共振部５３を共振させた後、人体に伝播される。これに対して、超音波振動子３９の背面に室５１によって中空部が形成され、該中空部内の空気が超音波の伝播を阻止するので、超音波は、前方に向けてだけ伝播させられる。したがって、被処理部に超音波を効率良く照射することができる。本実施の形態においては、室５１内に空気が充填されるようになっているが、室５１内を真空にすることによって、超音波の伝播を阻止することもできる。
【００４５】
このように、本実施の形態においては、処理槽１１内の所定の箇所に超音波振動子３１が配設され、振動子ユニット３４が移動自在に配設されるので、皮膚の表面だけでなく、体内の被処理部に超音波を照射し、細菌、ウィルス等を殺菌することができる。
【００４６】
また、血液を体外に出すことなく、血液に超音波を照射し、細菌、ウィルス等を殺菌するので、被処理者の体力を消耗することなく、被処理部の処理を行うことができる。
【００４７】
なお、被処理部を正確に特定しようとすると、超音波エコー等の患部特定装置が必要になり、治療器が大型化してしまうが、本実施の形態においては、前述されたように、処理槽１１が透明な材料によって形成されるので、被処理部を目視により確認し、特定することができ、被処理部の付近の全体に超音波を照射することによって、ヒドロキシルラジカルを生成させ、治療することができる。したがって、超音波エコー等の患部特定装置が不要になるので、治療器を小型化することができる。
【００４８】
なお、超音波を照射したくない部位には、保護用のプロテクタ、例えば、超音波を吸収する材料（ゴム、ウレタン等）、又は、反射する材料（金属等）から成るプロテクタが当てられる。
【００４９】
本実施の形態においては、前記処理槽１１内において振動子ユニット３４を移動自在に配設するために、環状体３３が使用され、振動子ユニット３４が一つのアーム３５を介して環状体３３に対して進退自在に配設されるようになっているが、次に、振動子ユニット３４を複数のアームを介して環状体３３に対して移動自在に配設するようにした本発明の第２の実施の形態について説明する。なお、第１の実施の形態と同じ構造を有するものについては、同じ符号を付与することによってその説明を省略し、同じ構造を有することによる発明の効果については同実施の形態の効果を援用する。
【００５０】
図６は本発明の第２の実施の形態における振動子ユニットの配設状態を示す図である。
【００５１】
図において、ａｍｉ（ｉ＝１、２、…）は振動子ユニット３４を処理槽１１に対して移動自在に配設するための支持部材としてのアームであり、アームａｍ１と振動子ユニット３４との間、及び隣接するアームａｍ１、ａｍ２間、アームａｍ２、ａｍ３間に、ギヤｇ１、ｇ２、ｇ３が配設され、前記作動機構としての移動機構のモータを駆動すると、前記ギヤｇ１、ｇ２、ｇ３が回動させられ、振動子ユニット３４及び各アームａｍｉが所定の角度で揺動させられる。
【００５２】
次に、振動子ユニット３４を処理槽１１に対して取り付けるようにした本発明の第３の実施の形態について説明する。なお、第１、第２の実施の形態と同じ構造を有するものについては、同じ符号を付与することによってその説明を省略し、同じ構造を有することによる発明の効果については同実施の形態の効果を援用する。
【００５３】
図７は本発明の第３の実施の形態における超音波処理装置の概略図、図８は本発明の第３の実施の形態における他の超音波処理装置の概略図である。
【００５４】
図７においては、支持部材としてのアームａｍ３が水平方向におけるＸ軸方向及びＹ軸方向に、支持部材としてのアームａｍ２が処理槽１１の軸方向（矢印Ｂ方向）に昇降自在に配設され、振動子ユニット３４を処理槽１１内における任意の位置に置くことができる。
【００５５】
図８においては、アームａｍ３が処理槽１１の円周方向（矢印Ａ方向）に、アームａｍ２が処理槽１１の軸方向（矢印Ｂ方向）に昇降自在に配設され、振動子ユニット３４を処理槽１１内における任意の位置に置くことができる。
【００５６】
次に、本発明の第４の実施の形態について説明する。なお、第１〜第３の実施の形態と同じ構造を有するものについては、同じ符号を付与することによってその説明を省略し、同じ構造を有することによる発明の効果については同実施の形態の効果を援用する。
【００５７】
図９は本発明の第４の実施の形態における超音波処理装置の概略図である。
【００５８】
図において、９０はバスタブ型の超音波処理装置、９１は所定の形状、本実施の形態においては、湯船形の形状を有する処理槽であり、該処理槽９１は、底壁９２及び側壁９３の各壁を備え、開口したバスタブを構成する。
【００５９】
前記処理槽９１の所定の壁、本実施の形態においては、底壁９２及び側壁９３に第１の超音波発生要素としての超音波振動子３１が配設される。なお、該超音波振動子３１は、処理槽９１に対して固定された状態で少なくとも一つ配設され、超音波を発生させるための第１の超音波発生部を構成し、発生させられた超音波は、あらかじめ設定された方向に向けて水中を伝播させられる。
【００６０】
また、前記処理槽９１内に、振動子ユニット３４が、水に浸漬させた状態で移動自在に配設される。そのために、振動子ユニット３４が、支持部材としてのアームａｍｉ（ｉ＝１、２、…）を介して、処理槽９１の所定の箇所に取り付けられる。
【００６１】
そして、アームａｍ３が水平方向におけるＸ軸方向及びＹ軸方向に移動自在に、アームａｍ２がＺ軸方向に昇降自在に配設されるので、振動子ユニット３４を処理槽９１内における任意の位置に置くことができる。
【００６２】
前記各実施の形態においては、人体の被処理部に超音波を照射し、細菌、ウィルス等を殺菌するようになっているが、ヒト以外の生物の被処理部に超音波を照射し、細菌、ウィルス等を殺菌することができる。その場合、処理槽１１、９１等は、生物を収容することができるだけの寸法に形成される。
【００６３】
なお、本発明は前記各実施の形態に限定されるものではなく、本発明の趣旨に基づいて種々変形させることが可能であり、それらを本発明の範囲から排除するものではない。
【図面の簡単な説明】
【００６４】
【図１】本発明の第１の実施の形態における超音波処理装置の概略図である。
【図２】本発明の第１の実施の形態における超音波処理装置の概念図である。
【図３】本発明の第１の実施の形態における振動子ユニットを示す図である。
【図４】本発明の第１の実施の形態における振動子ユニットの動作を示す図である。
【図５】本発明の第１の実施の形態における超音波処理装置の動作を説明するための制御ブロック図である。
【図６】本発明の第２の実施の形態における振動子ユニットの配設状態を示す図である。
【図７】本発明の第３の実施の形態における超音波処理装置の概略図である。
【図８】本発明の第３の実施の形態における他の超音波処理装置の概略図である。
【図９】本発明の第４の実施の形態における超音波処理装置の概略図である。
【符号の説明】
【００６５】
１０、９０    超音波処理装置
１１、９１    処理槽
３１、３９    超音波振動子
３４    振動子ユニット
３５、ａｍ１、ａｍ２、ａｍ３    アーム
４５    有底筒状部材
４６    閉鎖部材
５１    室
【図１】
2010035802.tif 000003
【図２】
2010035802.tif 000004
【図３】
2010035802.tif 000005
【図４】
2010035802.tif 000006
【図５】
2010035802.tif 000007
【図６】
2010035802.tif 000008
【図７】
2010035802.tif 000009
【図８】
2010035802.tif 000010
【図９】
2010035802.tif 000011
【手続補正書】
【提出日】平成20年11月17日(2008.11.17)
【手続補正１】
【補正対象書類名】特許請求の範囲
【補正対象項目名】全文
【補正方法】変更
【補正の内容】
【特許請求の範囲】
【請求項１】
（ａ）透明な材料によって形成され、媒体を収容するための処理槽と、
（ｂ）該処理槽内の所定の箇所に配設された第１の超音波発生要素と、
（ｃ）前記処理槽内において移動自在に配設され、密閉された室を形成し、所定の部位が被処理部と当接させられる当接部とされる筐体、及び前記室内において当接部に取り付けられ、背面に中空部を形成する第２の超音波発生要素を備える振動子ユニットと、
（ｄ）該振動子ユニットを前進させ、前記当接部を被処理部に当接させる作動機構と、
（ｅ）前記当接部に配設された圧力検出部と、
（ｆ）該圧力検出部によって検出された圧力が設定された値になるように前記作動機構を作動させる制御部とを有することを特徴とする超音波処理装置。
【請求項２】
（ａ）前記処理槽内において円周方向に回転自在に、かつ、軸方向に昇降自在に配設された環状体を有するとともに、
（ｂ）前記振動子ユニットは、前記環状体の内周面に、支持部材を介して処理槽の径方向に進退自在に配設される請求項１に記載の超音波処理装置。
【請求項３】
前記当接部における第２の超音波発生要素が取り付けられる部分に、第２の超音波発生要素の駆動に伴って共振するように厚さが設定された共振部が形成される請求項１に記載の超音波処理装置。
【手続補正２】
【補正対象書類名】明細書
【補正対象項目名】０００５
【補正方法】変更
【補正の内容】
【０００５】
そのために、本発明の超音波処理装置においては、透明な材料によって形成され、媒体を収容するための処理槽と、該処理槽内の所定の箇所に配設された第１の超音波発生要素と、前記処理槽内において移動自在に配設され、密閉された室を形成し、所定の部位が被処理部と当接させられる当接部とされる筐（きょう）体、及び前記室内において当接部に取り付けられ、背面に中空部を形成する第２の超音波発生要素を備える振動子ユニットと、該振動子ユニットを前進させ、前記当接部を被処理部に当接させる作動機構と、前記当接部に配設された圧力検出部と、該圧力検出部によって検出された圧力が設定された値になるように前記作動機構を作動させる制御部とを有する。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】変更
【補正の内容】
【０００７】
本発明によれば、超音波処理装置においては、透明な材料によって形成され、媒体を収容するための処理槽と、該処理槽内の所定の箇所に配設された第１の超音波発生要素と、前記処理槽内において移動自在に配設され、密閉された室を形成し、所定の部位が被処理部と当接させられる当接部とされる筐体、及び前記室内において当接部に取り付けられ、背面に中空部を形成する第２の超音波発生要素を備える振動子ユニットと、該振動子ユニットを前進させ、前記当接部を被処理部に当接させる作動機構と、前記当接部に配設された圧力検出部と、該圧力検出部によって検出された圧力が設定された値になるように前記作動機構を作動させる制御部とを有する。
【手続補正５】
【補正対象書類名】明細書
【補正対象項目名】０００８
【補正方法】削除
【補正の内容】
【手続補正６】
【補正対象書類名】明細書
【補正対象項目名】００１０
【補正方法】変更
【補正の内容】
【００１０】
また、第２の超音波発生要素の背面の中空部内の空気が超音波の伝播を阻止するので、超音波は、前方に向けてだけ伝播させられる。したがって、被処理部に超音波を効率良く照射することができる。
そして、制御部は、圧力検出部によって検出された圧力が設定された値になるように作動機構を作動させるので、体内の被処理部に超音波を照射する場合に、被処理部における反射の影響を受けないようにすることができる。
さらに、処理槽が透明な材料によって形成されるので、被処理部を目視により確認し、特定することができる。
【手続補正書】
【提出日】平成21年4月9日(2009.4.9)
【手続補正１】
【補正対象書類名】特許請求の範囲
【補正対象項目名】全文
【補正方法】変更
【補正の内容】
【特許請求の範囲】
【請求項１】
（ａ）透明な材料によって形成され、媒体を収容するための処理槽と、
（ｂ）該処理槽内の所定の箇所に配設された第１の超音波発生要素と、
（ｃ）前記処理槽内において、被処理者を包囲することができるように、円周方向に回転自在に、かつ、軸方向に昇降自在に配設された環状体と、
（ｄ）該環状体の内周面に、支持部材を介して処理槽の径方向に進退自在に配設され、密閉された室を形成し、所定の部位が前記被処理者の皮膚と当接させられる当接部とされる筐体、及び前記室内において当接部に取り付けられ、背面に中空部を形成する第２の超音波発生要素を備える振動子ユニットと、
（ｅ）該振動子ユニットを前進させ、前記当接部を被処理者の皮膚に当接させる作動機構と、
（ｆ）前記当接部に配設された圧力検出部と、
（ｇ）該圧力検出部によって検出された圧力が設定された値になるように前記作動機構を作動させ、前記当接部を被処理者の皮膚に押し付ける制御部とを有することを特徴とする超音波処理装置。
【請求項２】
前記当接部における第２の超音波発生要素が取り付けられる部分に、第２の超音波発生要素の駆動に伴って共振するように厚さが設定された共振部が形成される請求項１に記載の超音波処理装置。
【手続補正２】
【補正対象書類名】明細書
【補正対象項目名】０００５
【補正方法】変更
【補正の内容】
【０００５】
そのために、本発明の超音波処理装置においては、透明な材料によって形成され、媒体を収容するための処理槽と、該処理槽内の所定の箇所に配設された第１の超音波発生要素と、前記処理槽内において、被処理者を包囲することができるように、円周方向に回転自在に、かつ、軸方向に昇降自在に配設された環状体と、該環状体の内周面に、支持部材を介して処理槽の径方向に進退自在に配設され、密閉された室を形成し、所定の部位が前記被処理者の皮膚と当接させられる当接部とされる筐体、及び前記室内において当接部に取り付けられ、背面に中空部を形成する第２の超音波発生要素を備える振動子ユニットと、該振動子ユニットを前進させ、前記当接部を被処理者の皮膚に当接させる作動機構と、前記当接部に配設された圧力検出部と、該圧力検出部によって検出された圧力が設定された値になるように前記作動機構を作動させ、前記当接部を被処理者の皮膚に押し付ける制御部とを有する。
【手続補正３】
【補正対象書類名】明細書
【補正対象項目名】０００７
【補正方法】変更
【補正の内容】
【０００７】
本発明によれば、超音波処理装置においては、透明な材料によって形成され、媒体を収容するための処理槽と、該処理槽内の所定の箇所に配設された第１の超音波発生要素と、前記処理槽内において、被処理者を包囲することができるように、円周方向に回転自在に、かつ、軸方向に昇降自在に配設された環状体と、該環状体の内周面に、支持部材を介して処理槽の径方向に進退自在に配設され、密閉された室を形成し、所定の部位が前記被処理者の皮膚と当接させられる当接部とされる筐体、及び前記室内において当接部に取り付けられ、背面に中空部を形成する第２の超音波発生要素を備える振動子ユニットと、該振動子ユニットを前進させ、前記当接部を被処理者の皮膚に当接させる作動機構と、前記当接部に配設された圧力検出部と、該圧力検出部によって検出された圧力が設定された値になるように前記作動機構を作動させ、前記当接部を被処理者の皮膚に押し付ける制御部とを有する。